(57)【要約】【課題】近距離無線通信が可能な新規な構成の原稿読取装置を提供する。【解決手段】原稿読取装置３１が搭載された画像形成装置１は、原稿を支持する原稿台３２１が上面に設けられ、原稿台３２１に支持された原稿の画像を読み取る画像読取部を収容する筐体３２と、筐体３２の上方に設けられ、一端部に配置された回動軸心を中心に他端部が原稿台３２１を覆う閉位置と原稿台３２１を開放する開位置との間で揺動可能な原稿押さえ３３と、を備える。原稿押さえ３３が有するＡＤＦ３４の他端部は、閉位置にあるときに原稿台３２１の上面と交差する端面３４Ａを有し、端面３４Ａに近距離無線通信を行う外部機器を載置する位置を示すＮＦＣマーク７１が設けられる。【選択図】図１
2020145617.tif 000002
【特許請求の範囲】
【請求項１】
原稿を支持する原稿台が上面に設けられ、前記原稿台に支持された原稿の画像を読み取る画像読取部を収容する筐体と、
前記筐体の上方に設けられ、一端部に配置された回動軸心を中心に他端部が前記原稿台を覆う閉位置と前記原稿台を開放する開位置との間で揺動可能な原稿押さえと、を備え、
前記原稿押さえの前記他端部は、前記閉位置にあるときに前記原稿台の上面と交差する端面を有し、
前記端面に近距離無線通信を行う外部機器を載置する位置を示すマークが設けられることを特徴とする原稿読取装置。
【請求項２】
前記原稿押さえは、原稿を原稿台に自動搬送する自動原稿送り装置を有し、
前記自動原稿送り装置が前記端面を有することを特徴とする請求項１に記載の原稿読取装置。
【請求項３】
前記原稿台の副走査方向一方側に設けられ、前記原稿読取装置を操作するための操作パネルを備え、
前記自動原稿送り装置は、前記副走査方向において前記操作パネルと同じ側に設けられることを特徴とする請求項２に記載の原稿読取装置。
【請求項４】
前記操作パネルは、前記マークに対する角度が変位可能に設けられることを特徴とする請求項３に記載の原稿読取装置。
【請求項５】
前記操作パネルは、前記副走査方向の長さが前記筐体の前記副走査方向の長さより短く形成され、
前記操作パネルにおける前記筐体の中央寄りの側面にＵＳＢポートが設けられることを特徴とする請求項３又は請求項４に記載の原稿読取装置。
【請求項６】
前記自動原稿送り装置は、前記原稿押さえの前記一端部側にモータを有することを特徴とする請求項２から請求項５の何れか一項に記載の原稿読取装置。
【請求項７】
前記近距離無線通信のための基板が、前記原稿押さえ内部の前記マークと対向する位置に設けられることを特徴とする請求項１から請求項６の何れか一項に記載の原稿読取装置。
【請求項８】
請求項１から請求項７の何れか一項に記載の原稿読取装置と、
シートに画像を形成する画像形成部と、を備えることを特徴とする画像形成装置。
【発明の詳細な説明】
【技術分野】
【０００１】
本発明は、原稿読取装置及びそれを備えた画像形成装置に関する。
【背景技術】
【０００２】
従来からＮＦＣ（Ｎｅａｒ  Ｆｉｅｌｄ  Ｃｏｍｍｕｎｉｃａｔｉｏｎ）等の近距離無線通信によってＩＣカードやスマートフォン等の外部機器と通信可能な画像形成装置が知られている。例えば特許文献１には、原稿読取装置を構成するＡＤＦ（Ａｕｔｏ  Ｄｏｃｕｍｅｎｔ  Ｆｅｅｄｅｒ）の原稿トレイや排出トレイの上面にＮＦＣを配置した画像形成装置が開示されている。
【先行技術文献】
【特許文献】
【０００３】
【特許文献１】特開２０１５−１１５７８０号公報
【発明の概要】
【発明が解決しようとする課題】
【０００４】
また、特許文献１の構成によれば、静置原稿も読み取ることができるようにＡＤＦの原稿トレイや排出トレイは開閉可能となっている。よって、原稿トレイや排出トレイの上面のＮＦＣ位置に外部機器を載置したまま原稿トレイや排出トレイを開いてしまう可能性があり、その場合、外部機器が床に落下する可能性があり、新規な構成の原稿読取装置等が求められている。
【０００５】
本発明は、近距離無線通信が可能な新規な構成の原稿読取装置を提供することを目的とする。また、その原稿読取装置を備えた画像形成装置を提供することも目的とする。
【課題を解決するための手段】
【０００６】
本発明の画像形成装置（１）は、原稿を支持する原稿台（３２１）が上面に設けられ、前記原稿台（３２１）に支持された原稿の画像を読み取る画像読取部を収容する筐体（３２）と、前記筐体（３２）の上方に設けられ、一端部に配置された回動軸心を中心に他端部が前記原稿台（３２１）を覆う閉位置と前記原稿台（３２１）を開放する開位置との間で揺動可能な原稿押さえ（３３）と、を備え、前記原稿押さえ（３３）の前記他端部は、前記閉位置にあるときに前記原稿台（３２１）の上面と交差する端面（３４Ａ）を有し、前記端面（３４Ａ）に近距離無線通信を行う外部機器を載置する位置を示すマーク（７１）が設けられる。
【発明の効果】
【０００７】
本発明によれば、原稿押さえの他端部の端面に近距離無線通信のマークを設けることにより、マークに外部機器をかざす際、ユーザは外部機器が落下しないように手に持ったままにする必要がある。よって、外部機器を原稿読取装置上に載置したまま原稿押さえを開いてしまうことを抑制できる。また、近距離無線通信のマークは原稿読取装置の上部におけるユーザ側に設けられるため、ユーザはマークを視認しやすい。よって、従来にない新規な構成の原稿読取装置を提供することができる。
【図面の簡単な説明】
【０００８】
【図１】一実施形態の画像形成装置の斜視図である。
【図２】一実施形態の画像形成装置の正面図である。
【図３】一実施形態の画像形成装置の平面図である。
【図４】一実施形態の画像形成装置の右側面図である。
【図５】図３のＡ−Ａ断面拡大図であって排出ストッパが使用位置にある状態を示す図である。
【図６】変形例１の画像形成装置の斜視図である。
【図７】変形例２の画像形成装置の右側面図である。
【図８】変形例３の画像形成装置の右側面図である。
【発明を実施するための形態】
【０００９】
以下の説明では、図１に示すように画像形成装置１が使用可能に設置された状態を基準とし、シートトレイ２７が引き出される側を前、その反対側を後とし、画像形成装置１を前側から見て左右方向を規定し、さらに画像形成装置１の第２筐体３側を上、第１筐体２側を下とし、各方向を定める。本実施形態において、左右方向は排出ローラ２８のシート排出方向と直交する幅方向の一例であるとともに、原稿読取装置３１の副走査方向の一例でもある。
【００１０】
［画像形成装置の全体構成］
図１は本発明の一実施形態の画像形成装置１の斜視図、図２はその正面図、図３はその平面図、図４はその右側面図、図５は図３のＡ−Ａ断面拡大図であって排出ストッパ６２が使用位置にある状態を示す図である。画像形成装置１は、いわゆる胴内排出型と呼ばれる形態を有する。画像形成装置１は、第１筐体２と、第２筐体３と、脚部４と、操作パネル５とを備えている。
【００１１】
第１筐体２は、外観を構成する略直方体形状のカバー２０を有している。カバー２０は、前面２１と、背面２２と、左面２３と、右面２４と、上面２５と、底面２６とを有する。前面２１の下部にはシートトレイ２７を挿抜するための開口部２１１が形成されている。
【００１２】
第１筐体２には、画像形成前のシートを支持するシートトレイ２７と、シートトレイ２７からシートを搬送する搬送機構と、搬送機構によって搬送されてきたシートに画像を形成する画像形成部と、画像形成部から第１筐体２外へシートを搬送する排出機構とが収容されている。排出機構の搬送方向の最下流部には、シートを排出する排出ローラ２８が設けられている。
【００１３】
シートトレイ２７は、開口部２１１を介して第１筐体２に収容される収容位置（図１に示す位置）と開口部２１１を介して第１筐体２から前方へ引き出される引出位置との間でスライド可能である。画像形成部の構成には特に限定はなく、電子写真方式、インクジェット方式、サーマルヘッド方式などの構成を用いることができる。
【００１４】
また、第１筐体２の上面２５には排出機構によって排出されるシートを支持する排出トレイ６が設けられている。排出トレイ６は第１筐体２の上面２５に後側から前側に向かって凸状に湾曲しつつ登るように傾斜した形状に形成されている。これにより、画像が形成されたシートは、排出機構によって後側から前側に向かって排出トレイ６に排出される。
【００１５】
排出トレイ６は、排出トレイ６における幅方向の中央部に設けられた突出部６１と、突出部６１に設けられた排出ストッパ６２とを有している。突出部６１は、排出トレイ６の他の面よりも上方へ突出し、後方へ向かって下方に傾斜した台状部材である。排出ストッパ６２は、後端部が突出部６１に回動可能に支持された略矩形の板状部材である。排出ストッパ６２は、突出部６１の上端部に沿って水平に位置する収納位置（図４に示す位置）と、前端部が立ち上がった使用位置（図５に示す位置）との間で揺動する。排出ストッパ６２が使用位置にあるとき、排出トレイ６に排出されたシートは排出ストッパ６２に当接して排出トレイ６上に規制される。
【００１６】
このような突出部６１により、排出されたシートの幅方向の両端部が持ち上がるようにカールしている場合でも、シートの幅方向の中央部が持ち上げられて支持されることによって、カールを軽減することができる。また、シートが排出トレイ６に支持されている状態において、シート下の突出部６１の周辺にシートを掴むための空間を形成することができる。なお、突出部６１は必須の構成ではなく、省略することもできる。
【００１７】
また、第１筐体２の上面２５には画像形成装置１の電源スイッチ２９が設けられている。電源スイッチ２９は、視認しやすく操作しやすいように、第１筐体２の上面２５における排出ストッパ６２よりも前側であって、幅方向において排出トレイ６の幅外に配置することが好ましい。本実施形態において電源スイッチ２９は、第１筐体２の上面２５における右前部分に設けられている。
【００１８】
第２筐体３は、第１筐体２の上方に設けられ、原稿読取装置３１を備えている。原稿読取装置３１は、原稿を支持する原稿台３２１が上面に設けられ、原稿台３２１に支持された原稿の画像を読み取る画像読取部を収容する筐体３２を有している。また、原稿読取装置３１は、筐体３２の上方に設けられ、一端部の一例としての後端部に配置された回動軸心を中心に他端部の一例としての前端部が原稿台３２１を覆う閉位置と原稿台３２１を開放する開位置との間で揺動可能な原稿押さえ３３を有している。
【００１９】
原稿押さえ３３は、その上部に、原稿を原稿台３２１に自動搬送する自動原稿送り装置（以下、ＡＤＦ（ａｕｔｏ  ｄｏｃｕｍｅｎｔ  ｆｅｅｄｅｒ）と記す）３４を備えている。ＡＤＦ３４の前端面３４Ａは、閉位置にあるときに原稿台３２１の上面と交差する角度に形成されている。本実施形態においてＡＤＦ３４の前端面３４Ａは、原稿台３２１の上面と直角に形成されている。また、ＡＤＦ３４の後端部側には、ＡＤＦ３４の駆動源であるモータ３４１が設けられている。
【００２０】
脚部４は、左脚部４１と、右脚部４２と、後脚部４３とを有している。左脚部４１、右脚部４２、後脚部４３は、それぞれ第１筐体２の上面において、左端部、右端部、後端部に配置され、第２筐体３を持ち上げて支持する。これにより、第２筐体３は排出トレイ６の上方にシートが排出される排出空間６３を介して設置される。また、左脚部４１と右脚部４２と第１筐体２の上面と第２筐体３の下面とによって画像形成装置１の前面側に開口部４４が形成され、開口部４４を通じて排出空間６３が前方に開放されている。よって、ユーザは開口部４４を通じて排出トレイ６に排出されたシートを取り出すことができる。
【００２１】
本実施形態において、右脚部４２の前端面４２Ａは、第２筐体３の前端面３Ａよりも後側に配置されている。これにより、排出空間６３の右側が大きく開放され、排出トレイ６に排出されたシートを右側から取り出しやすくなる。
【００２２】
操作パネル５は、略直方体形状のパネルであり、左右方向の長さが第２筐体３の左右方向の長さより短く形成されている。本実施形態では、操作パネル５の左右方向の長さは第２筐体３の左右方向の長さの半分以下である。操作パネル５は、左端部が第２筐体３の左端部と面一となるように、第２筐体３の前端面３Ａから前方へ突出して設けられる。なお、操作パネル５は、第２筐体３において排出ローラ２８よりもシート排出方向下流側に設けられれば、その配置には特に限定はない。操作パネル５は、上面５１に液晶パネル等の表示具と画像形成部及び画像読取部を操作するためのタッチパネルや操作ボタン等の操作具とを備えている。
【００２３】
［ＮＦＣ］
図２に示すように、ＡＤＦ３４の前端面３４Ａには、ＮＦＣ機能を有するＩＣカードやスマートフォン等の外部機器を載置する位置を示すＮＦＣマーク７１が印刷されている。ＮＦＣマーク７１の大きさや形状には特に限定はない。また、ＮＦＣマーク７１は印刷以外であってもよく、例えば、透光性部材で構成し、透光性部材の直下に発光ダイオード等の光源を配置してマークが光る構成としてもよい。ユーザは、このＮＦＣマーク７１を目安にして外部機器を載置することで、外部機器と画像形成装置１との間で無線通信させることができる。
【００２４】
このように、ＮＦＣマーク７１をＡＤＦ３４の前端面３４Ａに設けることにより、ＮＦＣマーク７１に外部機器をかざす際、ユーザは外部機器が落下しないように手に持ったままにする必要がある。よって、外部機器を原稿読取装置３１上に載置したまま原稿押さえ３３を開いてしまうことを抑制できる。また、ＡＤＦ３４に厚みがあることによって生じる前端面３４Ａのスペースを有効に利用してＮＦＣマーク７１を配置することができる。また、ＮＦＣマーク７１は原稿読取装置３１の上部におけるユーザ側に設けられるため、ユーザはＮＦＣマーク７１を視認しやすい。よって、従来にない新規な構成の原稿読取装置３１とそれを備えた画像形成装置１とを提供することができる。
【００２５】
ＮＦＣマーク７１は、画像形成装置１の幅方向において操作パネル５と同じ側に配置することが好ましい。そのためには、ＮＦＣマーク７１が配置されるＡＤＦ３４を操作パネル５と同じ側に配置する必要がある。本実施形態では、ＡＤＦ３４と操作パネル５とが画像形成装置１における左側に配置されているため、ＮＦＣマーク７１も画像形成装置１における左側であって、操作パネル５と左右方向に重なる位置に配置されている。
【００２６】
この構成によれば、ＮＦＣマーク７１と操作パネル５とが幅方向の同じ側に配置されることにより、ユーザは同じ方向を確認するだけでＮＦＣマーク７１と操作パネル５の両方を確認することができ、視認しやすい。
【００２７】
ＮＦＣ基板７０は、外部機器との良好な無線通信を実現するために、ＡＤＦ３４内部のＮＦＣマーク７１と対向する位置に設けられる。本実施形態では、ＮＦＣマーク７１の真後ろであるＡＤＦ３４の前端面３４Ａの内側に沿ってＮＦＣ基板７０が配置される。ＮＦＣ基板７０は、略矩形の板状の回路基板であり、ループアンテナ７２をはじめ通信回路や検出回路等を搭載している。
【００２８】
ループアンテナ７２は、ＮＦＣマーク７１の真後ろに位置するようにＮＦＣ基板７０の前面に配置される。ループアンテナ７２は、外部機器と通信するための電波を送受信する機能を有する。通信回路は、送受信される電波を信号処理する機能を有する。検出回路は、ループアンテナ７２に流れる電流を検出することにより、ループアンテナ７２にて送受信される電波の強度を検出する機能を有する。
【００２９】
本実施形態では、ＡＤＦ３４の前端部側にＮＦＣマーク７１及びＮＦＣ基板７０が配置され、ＡＤＦ３４の後端部側にモータ３４１が配置されている。このように、モータ３４１と反対側にＮＦＣマーク７１及びＮＦＣ基板７０を配置することにより、モータ３４１のノイズによる通信性能の低下を抑制することができる。
【００３０】
［ＵＳＢ］
図４に示すように、画像形成装置１には、ＵＳＢメモリやデジタルカメラ等のＵＳＢ機器の端子を接続するためのＵＳＢポート８１が設けられている。ＵＳＢポート８１は、操作パネル５における中央寄りの側面に配置される。本実施形態では、操作パネル５の右面５２にＵＳＢポート８１が設けられている。操作パネル５の右面５２におけるＵＳＢポート８１の位置には特に限定はない。操作パネル５の右面５２におけるＵＳＢポート８１近傍には、ＵＳＢマーク８２が印刷されている。ユーザは、ＵＳＢマーク８２又はＵＳＢポート８１を視認することで、ＵＳＢポート８１の位置を認識することができる。
【００３１】
このように、ＵＳＢポート８１を操作パネル５における中央寄りの側面に設けることにより、ＵＳＢポート８１に差し込まれたＵＳＢ機器が、平面視で第１筐体２の側方へ突出しにくくなるため、ユーザがＵＳＢ機器に衝突して破損する危険性を抑制できるとともに、ＵＳＢ機器を着脱するスペースが確保される。また、ＵＳＢポート８１が排出トレイ６より上方に配置されることにより、ユーザはＵＳＢポート８１を視認しやすい。また、ユーザは同じ方向を確認するだけで操作パネル５とＵＳＢポート８１の両方を確認することができ、視認しやすい。
【００３２】
また、ＵＳＢポート８１を操作パネル５の側面に設けることにより、ＵＳＢポート８１の視認性と操作パネル５の操作性とを両立させることができる。さらに、ＵＳＢポート８１に差し込まれたＵＳＢ機器によってＮＦＣマーク７１が覆われることが抑制され、ＵＳＢポート８１にＵＳＢ機器が接続されている状態でもＮＦＣマーク７１の視認性を確保することができる。
【００３３】
ＵＳＢ基板８０は、操作パネル５内部に設けられる。ＵＳＢ基板８０は、略矩形の板状の回路基板であり、ＵＳＢポート８１及び変換回路を搭載している。ＵＳＢポート８１は、ＵＳＢ基板８０の上面において右方へ突出するように配置されている。変換回路は、ＵＳＢポート８１の信号線を所定のピッチに変換する回路である。
【００３４】
［変形例１］
図６は変形例１の画像形成装置９の斜視図である。変形例１の画像形成装置９が上記の画像形成装置１と異なる点は、原稿読取装置９１がＡＤＦを備えていない点と、ＮＦＣマーク９２及びＮＦＣ基板９３の位置であり、その他の構成は上記の画像形成装置１と同様である。以下の変形例１から変形例３の説明では、主に上記の画像形成装置１と異なる点について説明し、上記の画像形成装置１と同様の構成については同符号を付し、その詳細な説明を省略する。
【００３５】
原稿読取装置９１は、上記の原稿押さえ３３からＡＤＦ３４をなくした板状の原稿押さえ９４を備えている。原稿押さえ９４の前端面９４Ａは、閉位置にあるときに原稿台３２１の上面と交差する角度に形成されている。変形例１において原稿押さえ９４の前端面９４Ａは、原稿台３２１の上面と直角に形成されている。
【００３６】
ＮＦＣマーク９２は、上記のＮＦＣマーク７１と同条件を満たす位置に設けられる。図６では、原稿押さえ９４の前端面９４Ａにおける操作パネル５の上方にＮＦＣマーク９２が設けられている。ＮＦＣ基板９３は、上記のＮＦＣ基板７０を原稿押さえ９４の厚みに合わせた形状にしたものであり、原稿押さえ９４内部のＮＦＣマーク９２と対向する位置に設けられる。
【００３７】
このように、原稿読取装置９１がＡＤＦを備えていない構成においてもＮＦＣマーク９２を原稿押さえ９４の前端面９４Ａに設けることにより、上記の画像形成装置１と同様の効果を得ることができる。
【００３８】
［変形例２］
図７は変形例２の画像形成装置１０の右側面図である。変形例２の画像形成装置１０が上記の画像形成装置１と異なる点は、操作パネル１０１が揺動可能である点であり、その他の構成は上記の画像形成装置１と同様である。
【００３９】
操作パネル１０１は、その後端部に左右方向に延びる回動軸部１０２を有している。回動軸部１０２は、第２筐体３に設けられた図示しない凹部に回動可能に支持されている。これにより、操作パネル１０１は、回動軸部１０２を中心に、その上面１０３が前下がりとなる傾斜位置（図７に実線で示す位置）と、上面１０３が水平となる水平位置（図７に二点鎖線で示す位置）との間で揺動可能となっている。換言すると、操作パネル１０１はＮＦＣマーク７１に対する角度が変位可能に設けられているともいえる。
【００４０】
変形例２の構成によれば、ユーザは目線に合わせて操作パネル１０１の角度を適宜変位させることにより、ＮＦＣマーク７１と操作パネル１０１の両方を一目で確認しやすくなる。また、操作パネル１０１とＮＦＣマーク７１とが互いに近づいて配置されている場合でも、操作パネルの１０１を傾斜位置にするなど適宜変位させることにより、操作パネル１０１とＮＦＣマーク７１にかざす外部機器との干渉を抑制でき、操作性に優れる。
【００４１】
［変形例３］
図８は変形例３の画像形成装置１１の右側面図である。変形例３の画像形成装置１１が上記の画像形成装置１と異なる点は、操作パネル１１１が揺動可能である点であり、その他の構成は上記の画像形成装置１と同様である。
【００４２】
操作パネル１１１は、底面の前端部付近に左右方向に延びる回動軸部１１２を有している。回動軸部１１２は、左脚部４１に設けられた図示しない凹部に回動可能に支持されている。これにより、操作パネル１１１は、回動軸部１１２を中心に、その上面１１３が水平となる水平位置（図８に実線で示す位置）と、上面１１３が前下がりとなる傾斜位置（図８に二点鎖線で示す位置）との間で揺動可能となっている。換言すると、操作パネル１１１はＮＦＣマーク７１に対する角度が変位可能に設けられているともいえる。
【００４３】
変形例３の構成によれば、ユーザは操作パネル１１１を水平位置にするなど適宜変位させることにより、ＮＦＣマーク７１と操作パネル１１１の両方を一目で確認しやすくなる。また、操作パネル１１１とＮＦＣマーク７１とが互いに近づいて配置されている場合でも、操作パネルの１１１を傾斜位置にするなど適宜変位させることにより、操作パネル１１１とＮＦＣマーク７１にかざす外部機器との干渉を抑制でき、操作性に優れる。
【００４４】
［実施形態の効果］
上記の原稿読取装置９１は、原稿を支持する原稿台３２１が上面に設けられ、原稿台３２１に支持された原稿の画像を読み取る画像読取部を収容する筐体３２を備える。また原稿読取装置９１は、筐体３２の上方に設けられ、一端部に配置された回動軸心を中心に他端部が原稿台３２１を覆う閉位置と原稿台３２１を開放する開位置との間で揺動可能な原稿押さえ９４とを備える。原稿押さえ９４の他端部は、閉位置にあるときに原稿台３２１の上面と交差する前端面９４Ａを有する。そして、前端面９４Ａに近距離無線通信を行う外部機器を載置する位置を示すＮＦＣマーク９２が設けられる。
【００４５】
この構成によれば、原稿押さえ９４の他端部の端面にＮＦＣマーク９２を設けることにより、ＮＦＣマーク９２に外部機器をかざす際、ユーザは外部機器が落下しないように手に持ったままにする必要がある。よって、外部機器を原稿読取装置９１上に載置したまま原稿押さえ９４を開いてしまうことを抑制できる。また、ＮＦＣマーク９２は原稿読取装置９１の上部におけるユーザ側に設けられるため、ユーザはＮＦＣマーク９２を視認しやすい。よって、従来にない新規な構成の原稿読取装置９１を提供することができる。
【００４６】
上記の原稿読取装置３１によれば、原稿押さえ３３は、原稿を原稿台３２１に自動搬送するＡＤＦ３４を有し、ＡＤＦ３４が端面３４Ａを有する。
【００４７】
この構成によれば、ＡＤＦ３４の端面３４Ａのスペースを有効に利用することができる。
【００４８】
上記の画像形成装置１によれば、原稿台３２１の副走査方向一方側に設けられ、原稿読取装置３１を操作するための操作パネル５を備え、ＡＤＦ３４は、副走査方向において操作パネル５と同じ側に設けられる。
【００４９】
この構成によれば、ＮＦＣマーク７１と操作パネル５とが同じ側に配置されることにより、ユーザは同じ方向を確認するだけでＮＦＣマーク７１と操作パネル５の両方を確認することができ、視認しやすい。
【００５０】
上記の画像形成装置１０によれば、操作パネル１０１は、ＮＦＣマーク７１に対する角度が変位可能に設けられる。
【００５１】
この構成によれば、操作パネル１０１の角度を変位させることにより、ユーザはＮＦＣマーク７１と操作パネル１０１の両方を一目で確認しやすくなる。また、操作パネル１０１とＮＦＣマーク７１とが互いに近づいて配置されている場合でも、操作パネル１０１の角度を変位させることにより、操作パネル１０１とＮＦＣマーク７１にかざす外部機器との干渉を抑制でき、操作性に優れる。
【００５２】
上記の画像形成装置１によれば、操作パネル５は、副走査方向の長さが筐体３２の副走査方向の長さより短く形成され、操作パネル５における筐体３２の中央寄りの右面５２にＵＳＢポート８１が設けられる。
【００５３】
この構成によれば、ＵＳＢポート８１に差し込まれたＵＳＢ機器が、平面視で筐体３２の側方へ突出しにくくなるため、ユーザがＵＳＢ機器に衝突して破損する危険性を抑制できるとともに、ＵＳＢ機器を着脱するスペースが確保される。
【００５４】
上記の画像形成装置１によれば、ＡＤＦ３４は、原稿押さえ３３の一端部側にモータ３４１を有する。
【００５５】
この構成によれば、モータ３４１と反対側にＮＦＣマーク７１及びＮＦＣ基板７０が配置されるため、モータ３４１のノイズによる通信性能の低下を抑制することができる。
【００５６】
上記の画像形成装置１によれば、近距離無線通信のためのＮＦＣ基板７０が、原稿押さえ３３内部のＮＦＣマーク７１と対向する位置に設けられる。
【００５７】
この構成によれば、ＮＦＣマーク７１の近傍にＮＦＣ基板７０を配置することで、良好な無線通信を実現することができる。
【符号の説明】
【００５８】
１、９、１０、１１  画像形成装置
５、１０１、１１１  操作パネル
６          排出トレイ
３２        筐体
３３        原稿押さえ
３４        自動原稿送り装置
７０、９３  ＮＦＣ基板
７１、９２  ＮＦＣマーク（マーク）
８１        ＵＳＢポート
３２１      原稿台
３４１      モータ
【図１】
2020145617.tif 000003
【図２】
2020145617.tif 000004
【図３】
2020145617.tif 000005
【図４】
2020145617.tif 000006
【図５】
2020145617.tif 000007
【図６】
2020145617.tif 000008
【図７】
2020145617.tif 000009
【図８】
2020145617.tif 000010